(57)【要約】本発明は、音叉タイプのサウンド振動子に関するものであり、外部から音響信号を印加されて磁力を発生させるコイルと、前記コイルから発生される磁力と相互に作用する磁石と、該磁石が収容されるバスケットと、前記コイルまたは磁石の上下運動を皮膚に伝達するフェースプレートと、一端が前記磁石と接触し、他端が前記コイルと接触して、前記磁石及びコイルから発生する振動または音を伝達されてその振動及び音を同時に出力する音叉タイプのバンドとを含むことを特徴とする。
2010541366.tif 000002
【特許請求の範囲】
【請求項１】
外部から音響信号を印加されて磁力を発生させるコイル（１２）と、
前記コイル１２から発生される磁力と相互に作用する磁石（１５）と、
前記磁石（１５）が収容されるバスケット（１６）と、
前記コイル（１２）または磁石（１５）の上下運動を皮膚に伝達するフェースプレート（１１）と、  一端が前記磁石（１５）と接触し、他端が前記コイル（１２）と接触して、前記磁石（１５）及びコイル（１２）から発生する振動または音を伝達されて、その振動及び音を同時に出力する音叉タイプのバンド（１３）と、を含むことを特徴とする音叉タイプのサウンド振動子。
【請求項２】
前記音叉タイプのバンド（１３）には、イヤホン及びスピーカのケース（２０）と接触する少なくとも一つ以上の接触片（１７）が形成されることを特徴とする請求項１に記載の音叉タイプのサウンド振動子。
【請求項３】
前記音叉タイプのバンド（１３）から前記イヤホン及びスピーカのケース（２０）に伝達される振動及び音は、前記接触片（１７）の個数、位置及び厚さによって生じる前記ケース（２０）に対する接触片（１７）の接触面積と接触部位とに従って互いに異なるように構成されたことを特徴とする請求項２に記載の音叉タイプのサウンド振動子。
【請求項４】
前記音叉タイプのバンド（１３）には少なくとも一つ以上の磁石（１５）、コイル（１２）、バスケット（１６）が具備されて互いに異なる振動及び音を出力することを特徴とする請求項１に記載の音叉タイプのサウンド振動子。
【請求項５】
前記コイル（１２）と前記音叉タイプのバンド（１３）との間にはベースプレート（１８）が挿入され、そのベースプレート（１８）の材質に応じて高音または中低音を出力することを特徴とする請求項１に記載の音叉タイプのサウンド振動子。
【請求項６】
前記フェースプレート（１１）は、前記ケース（２０）の一側に形成された穴を通じてケース（２０）の外部に突き出されることによって耳孔の内壁と直接接触して振動を伝達することを特徴とする請求項２に記載の音叉タイプのサウンド振動子。
【発明の詳細な説明】
【技術分野】
【０００１】
本発明は、音叉タイプのサウンド振動子に関するものであり、より詳細には、振動を最も優しく伝達する音叉構造である振動子を使って、音と振動を制御しながら原価を大幅に低減することができる音叉タイプのサウンド振動子構造に関するものである。
【背景技術】
【０００２】
身体部位に接触して音を伝達する従来の体感型または骨伝導型振動子の構造は、身体の接触部位が中央で振動が発生して外部に弱く音が伝達される方式で、特に、使用時には、耳介の後部に接触させられるので、従来の体感型または骨伝導型振動子と耳及び頭蓋骨との間が近いほど、音伝達が容易である。しかし、音または振動が従来の体感型または骨伝導型振動子の中心部から発生するため、従来の体感型または骨伝導型振動子はそのサイズを低減させない限りは、耳及び頭蓋骨に近接して接触させることができない。
【０００３】
また、一般のスピーカでは、コイルが位置した内側からは、高音を発生し、コイルの外側のダイアフラムで中低音を発生する。小さなスピーカーユニットでは、ダイアフラムの大きさによる制限で中低音の音に限界があり、骨伝導振動子でも同一な限界が存在する。
【発明の概要】
【発明が解決しようとする課題】
【０００４】
しかし、前述した従来の体感型または骨伝導型振動子が具備されたイヤホン及びヘッドホンは、身体に接触する中央部位で振動が発生し、それにより、身体の特定部位との接触時には、大きさによる制限がある。
【０００５】
例えば、上記の体感型または骨伝導型振動子が具備されたイヤホン及びヘッドホンでは、耳介の後部及びに頭蓋骨との接触位置が近いほど、音伝達が容易である。しかし、音または振動が振動子の中心部から発生するため、イヤホン及びヘッドホンのサイズを小さく撓い限り、振動子を耳及び頭蓋骨に近接して接触させることができない。
【０００６】
従って、ＭＰ３プレーヤなどのような音響出力機器から入力を、従来の体感型または骨伝導型振動子が具備されたイヤホン及びヘッドホンによって受ける時には、出力を高めるために別途のアンプを使わなければならない問題がある。
【０００７】
また、オープンエア型のイヤホン及びヘッドホンの場合、耳を塞いでおいて長期間にわたって使用される時には、鼓膜を痛めるおそれがある。耳が塞がれた状態でダイヤフラムの音を発生するために、ダイヤフラムは前後または上下に継続して動くが、耳は塞がれていて、ダイヤフラムがポンピングを続けて圧力を与えるため、長期間使用時には、耳がぼうぜんとなる問題点がある。
【課題を解決するための手段】
【０００８】
前述した問題点を解決するために本発明によれば、、外部から音響信号を印加されて磁力を発生させるコイル１２と、磁性を有して前記コイル１２で発生される磁力と相互に作用する磁石１５と、該磁石１５が収容されるバスケット１６と、前記コイル１２または磁石１５の上下運動を皮膚に伝達するフェースプレート１１と、一端が前記磁石１５と接触して他端が前記コイル１２と接触し、前記磁石１５及びコイル１２で発生する振動または音を伝達されてその振動及び音を同時に出力する音叉タイプのバンド１３と、を含むことを特徴とする音叉タイプのサウンド振動子が提供される。
【０００９】
望ましくは、前記音叉タイプのバンド１３にはイヤホン及びスピーカーのケース２０と接触する少なくとも一つ以上の接触片１７が形成される。
より望ましくは、前記音叉タイプのバンド１３から前記イヤホン及びスピーカーのケース２０に伝達される振動及び音は、前記接触片１７の個数、位置及び厚さによって生じる前記ケース２０に対する接触片１７の接触面積と接触部位とに従って互いに異なる。。
【００１０】
より望ましくは、音叉タイプのサウンド振動子において、前記音叉タイプのバンド１３には少なくとも一つ以上の磁石１５、コイル１２バスケット１６が具備されて、互いに異なる振動及び音を出力する。
【００１１】
より望ましくは、音叉タイプのサウンド振動子において、前記コイル１２と前記音叉タイプのバンド１３との間にはベースプレート１８が挿入されて、挿入されるベースプレート１８の材質に応じて高音または中低音を出力する。
【００１２】
より望ましくは、音叉タイプのサウンド振動子において、前記フェースプレート１１は前記ケース２０の一側に形成された穴を通じてケース２０外部に突き出されることによって、耳孔の内壁と直接接触して振動を伝達する。
【発明の効果】
【００１３】
本発明による音叉タイプのサウンド振動子は、磁石で発生する振動または音と、コイルで発生する振動または音とを組み合わせることで、小さな入力からでも豊かな音を伝達することができる効果がある。
【００１４】
また、本発明による音叉タイプのサウンド振動子は、音叉タイプのバンドから外部ケースに連結する接点部位または厚さだけを変更しても全く新しい多様な音を再生することができるために、多様な商品を容易に応用して製作することができる効果がある。
【００１５】
また、広範に使用するＰＭＰ、コンピュータ及びＭＰ４を通じてダウンロードして見る映画を、中低音が支援可能な本発明による音叉タイプのサウンド振動子が具備されたイヤホンの使用で、劇場で見ることのような雄大壮厳さを感じながら鑑賞することができる。
【００１６】
また、コイルが付着されるバンドが磁石を保持する場合でも、中低音を発生することができるために、小さなユニット構造によって、大きなスピーカユニットの豊かな低音を再生できる効果がある。
【図面の簡単な説明】
【００１７】
【図１】本発明の実施形態による音叉タイプのサウンド振動子を示した断面図。
【図２】本発明の実施形態による音叉タイプのサウンド振動子がケースに装着された状態の図。
【図３】本発明の実施形態による音叉タイプのサウンド振動子のフェースプレートが配置される領域を非対称的に示した図。
【図４】本発明の実施形態による音叉タイプのサウンド振動子がインイヤー方式の振動型イヤホンに装着された構造を示した図。
【図５】本発明の実施形態による音叉タイプのサウンド振動子に対する他の実施例を示した図。
【図６】本発明の実施形態による音叉タイプのサウンド振動子と連結されたフェースプレートがイヤホンのケース外部に一部突き出された構造を示した図。
【発明を実施するための形態】
【００１８】
以下、添付された図面を参照して本発明による音叉タイプのサウンド振動子についてより詳細に説明する。
図１は、音叉タイプのサウンド振動子の断面を示す断面図である。  図１に示された本発明による音叉タイプのサウンド振動子１０は、フェースプレート１１、コイル１２、音叉タイプのバンド１３、放磁シリンダ１４、磁石１５、バスケット１６、接触片１７及びベースプレート１８で構成される。
【００１９】
ここで、前記フェースプレート１１は人体の皮膚に直接的に接触されて、内部の振動を皮膚に伝達する。このようなフェースプレート１１は人体の皮膚との接触を介して、スピーカの音響を皮膚に伝達する構造として、シリコンなどのような柔らかい材質で構成され、スピーカ内部で振動されて伝達される音響を、皮膚に優しく伝達する。すなわち、該当フェースプレート１１は音源の最終伝達板として音の区域別の強弱を調節し、音を優しく伝達するための構造を有する。
【００２０】
前記コイル１２は、耐熱性ゴム系列の強力接着剤によって付着されて、外部から入力される音響信号を、引き出し線図示せずを通じて印加されて、スピーカーユニットを駆動する。
【００２１】
そして、前記コイル１２の上部には磁石１５とバスケット１６とが配置され、磁石１５はバスケット１６の内部に収容される。
中空の磁石１５は、金属材質の前記バスケット１６の上部天井面に置かれた状態で、該当バスケット１６と磁力及びボンディング力によって結合されて固定され、望ましくはネオジウム磁石が使われる。
【００２２】
、磁場形成のために、内部が陷沒された箱形態の前記バスケット１６において、そのバスケットの周面は、内部に収容される磁石１５と一定な間隔が維持されるように該当磁石１５が収容されて、磁石１５とバスケット１６との離隔された空間には前記コイル１２が配置される。
【００２３】
前記磁石１５とバスケット１６とは、超音波振動接着及び接着剤を利用して、互いに接着されることが望ましい。
前記バスケット１６は音の一次的な減殺現象と共に、空気の流れを一方向に転換させるために構成されて、各構成要素の連結を決定する本体として作用する。
【００２４】
したがって、外部からコイル１２に電気的音響信号を印加するとき、、コイル１２によって生成される磁力と、前記磁石１５での磁界とが相互に作用して、吸引及び反発する物理的な振動力が発生し、これによって該当コイル１２と磁石１５とは上下に振動する。
【００２５】
すなわち、音響信号の印加による振動力はコイル１２と磁石１５との振動を誘導する。
一方、前記放磁板１４は前記コイル１２と磁石１５との間に位置して磁束を形成する。
また、ＭＰ３、ＭＰ４、ＣＤプレーヤなど各種音響発生装置から本発明による音叉タイプのサウンド振動子に音響信号が伝達されると、一端が前記フェースプレート１１と連結されていて、残りの一端が前記バスケット１６と連結された前記音叉タイプのバンド１３は、前記磁石１５で発生する振動または音と、前記コイル１２で発生する振動または音とを組み合わせて、少ない入力でも大きい出力を提供できるようにする。
【００２６】
すなわち、一般に振動は、磁石及びコイル部位から同時に発生するが、コイルから発生する振動のみを出力するために、別途のアンプなどを使って振動幅を増幅しなければならない。しかし、前記音叉タイプのバンド１３が具備されることによって、本発明による音叉タイプのサウンド振動子１０は、前記磁石１５及び前記コイル１２で発生する振動または音を、調和するように制御して出力することができる。
【００２７】
一方、前記接触片１７は、本発明による音叉タイプのサウンド振動子１０が外部ケースに内蔵された時、ケースの内側面と接触して、振動及び音を同時に伝達できるようにする。
【００２８】
図２は、本発明による音叉タイプのサウンド振動子１０が一般的なイヤホンケース２０に装着された構造の断面図を示している。
既存製品の場合、前記ケース２０の音または振動伝達板２１の真中が穿孔されていて、穿孔された領域を通じて前記フェースプレート１１が位置することによって、音が中央だけに集中されて、縁の部分には音が弱く伝達される。しかし、図２に示すように前記フェースプレート１１が位置する領域が、図３に示すように前記振動伝達板２１の真中ではない領域に非対称で穿孔されて形成されることによって、前記フェースプレート１１の位置が自由自在に移動可能で、音または振動の伝達も自由自在に制御可能になる。
【００２９】
図４は、本発明による音叉タイプのサウンド振動子１０が装着されたインイヤー方式の振動型イヤホン構造を示している。
図４に示すように、耳孔に挿入されるインイヤー方式の振動イヤホンケース２０は、所定空間を有し、かつ、一側だけが開放された瓶の形を有し、本発明による音叉タイプの振動子１０を収容する。
【００３０】
所定空間を有し、かつ、一側が開放された瓶の形の前記イヤホンケース２０は、イヤホン全体の外観を構成し、前記フェースプレート２０と協働して音叉タイプのサウンド振動子１０が、イヤホンケース２０内に仮想のシアターサウンドを実現すべく、前記マグネット５０の放磁機能を強化するように構成されている。
【００３１】
一方、前記音叉タイプの振動子１０の構成要素である前記音叉タイプのバンド１３に複数個の接触片１７が含まれる。前記接触片１７は前記瓶の形のケース２０の内側面と接触して、前記磁石１５及びコイル１２から発生する振動または音をケース２０の全体に均一に伝達する。
【００３２】
この時、前記音叉タイプの振動子１０の接触片１７に接触する前記ケース２０の接触部位または接触面積の変更を通じて、各種の音を再生することができる。
以後、一側で開放された入口を通じて音が伝達され、使用者の耳孔に挿入されて接触する前記ケース２０を介して、振動が伝達される。
【００３３】
また、前記ベースプレート１８は薄い金属やプラスチックその他の材質からなり、前記コイル１２との接触部位に挿入されて多様な音高音または中低音を発生する。すなわち、図１に示すように、前記コイル１２と前記バンド１３との間に挿入されるか、または、図２に示すように、前記コイル１２と前記フェースプレート１１との間に挿入されて音の変化を誘導する。
【００３４】
すなわち、前記ベースプレート１８が金属である場合、高音の発生を誘導して、プラスチックである場合に中低音の発生を誘導する。
前記ベースプレート１８が金属とプラスチックである場合のみに対して説明しているが、木、ガラスなどによっても形成でき、より詳細には、金属の種類、プラスチックの強度、及びその他の要因によって、多様な音が生成される。
【００３５】
図５を参照して、本発明の他の実施形態を説明する。
図５は、本発明の他の実施形態における構成要素である音叉タイプのバンド１３に対し、コイル１２、放磁板１４、磁石１５、及びベースプレート１８をそれぞれ含む一対のバスケット１６が形成された構造を示している。
【００３６】
前記バンド１３に一対のバスケット１６が形成されることによって、本発明の他の実施形態による音叉タイプのサウンド振動子を具備したイヤホンは、雄大壮厳な音を再生することができる。
【００３７】
一対の前記バスケット１６に存在するそれぞれのベースプレート１８が種類の異なる材料によって形成される場合、音の深さを加えることができる。すなわち、一つのベースプレート１８は金属板を使って高音の発生を誘導するようにし、他の一つのベースプレート１８'はプラスチック板を使って中低音（低周波数）の発生を誘導するようにする。
【００３８】
図６は、インイヤーイヤホンのケース２０に穴が形成されて、図２のように前記フェースプレート１１がケース２０の外部に突き出された構造を示している。
前記インイヤーイヤホンのケース２０の外部に前記フェースプレート１１が突き出されることによって、前記インイヤーイヤホンが着用者の耳孔に挿入されて耳孔内壁の軟骨を振動させる。
【００３９】
以上で説明した本発明の好適な実施形態は、本発明が属する技術分野で通常の知識を有した者において本発明の技術的思想を逸脱しない範囲内でさまざまな置き換え、変形及び変更が可能であるので、前述した実施形態及び添付された図面に限定されるものではない。
【図１】
2010541366.tif 000003
【図２】
2010541366.tif 000004
【図３】
2010541366.tif 000005
【図４】
2010541366.tif 000006
【図５】
2010541366.tif 000007
【図６】
2010541366.tif 000008
【国際調査報告】
2010541366.tif 000009
2010541366.tif 000010